【手続補正書】
【提出日】平成21年2月5日(2009.2.5)
【手続補正１】
【補正対象書類名】特許請求の範囲
【補正対象項目名】全文
【補正方法】変更
【補正の内容】
【特許請求の範囲】
【請求項１】
受信系統部を備えた無線通信装置であって、
前記受信系統部は、
アンテナにより受信した信号を、ベースバンド信号に変換し、出力する無線部と、
前記アンテナと前記無線部との間のインピーダンスを調整するインピーダンス可変手段と、
前記ベースバンド信号から予め既知のパイロット信号を抽出し、出力するパイロット信号抽出手段と、
前記パイロット信号を用いてチャネル推定を行い、前記ベースバンド信号の回線補償を行う回線補償手段と、
前記回線補償手段の出力を用いてインピーダンス制御適性度を検出するインピーダンス制御適正度検出手段と、
前記インピーダンス制御適正度検出手段の出力を基に、前記インピーダンス可変手段のインピーダンス変化量を制御するインピーダンス制御手段と、
を有する無線通信装置。
【請求項２】
前記回線補償手段の出力を用いて復調動作を行う復調部を備えた請求項１記載の無線通信装置。
【請求項３】
前記インピーダンス制御適性度検出手段は、前記回線補償手段の出力電力を用いて、前記インピーダンス制御適正度を検出する請求項２記載の無線通信装置。
【請求項４】
前記インピーダンス制御適性度検出手段は、前記回線補償手段の出力振幅を用いて、前記インピーダンス制御適正度を検出する請求項２記載の無線通信装置。
【請求項５】
前記回線補償手段は、無線フレームまたは無線スロットのプリアンブルに含まれる前記パイロット信号を用いて回線補償を行う請求項２乃至請求項４のいずれかに記載の無線通信装置。
【請求項６】
前記インピーダンス制御手段は、無線フレームまたは無線スロットのプリアンブルに含まれる前記パイロット信号を受信した後に、前記インピーダンス制御適性度検出手段の出力を用いて、前記インピーダンス可変手段を制御する請求項５記載の無線通信装置。
【請求項７】
前記インピーダンス制御手段は、インピーダンスを変化させた期間に対応する前記インピーダンス制御適正度検出手段の出力を基に、インピーダンスを変化させる請求項２乃至請求項６のいずれかに記載の無線通信装置。
【請求項８】
通話開始ボタンを備え、
前記インピーダンス制御手段は、前記通話開始ボタンの操作により前記インピーダンス可変手段の制御を開始する請求項２乃至請求項７のいずれかに記載の無線通信装置。
【請求項９】
インピーダンス整合情報と、前記インピーダンス整合情報に対応する受信信号強度情報とを記憶する記憶手段を備え、
前記記憶手段に記憶された受信信号強度と、インピーダンス制御後の受信信号強度とを比較し、信号強度が大きい方のインピーダンス整合情報と、前記信号強度が大きい方のインピーダンス整合情報に対応する受信信号強度情報とを改めて前記記憶手段に記憶する請求項２乃至請求項８のいずれかに記載の無線通信装置。
【請求項１０】
前記回線補償手段は、無線フレームまたは無線スロットのプリアンブルに含まれる前記パイロット信号を用いてチャネル推定を行い、前記ベースバンド信号の回線補償をして、前記インピーダンス制御適正度検出手段に出力する第1の回線補償手段と、
前記無線フレームまたは前記無線スロットのデータに含まれる前記パイロット信号を用いて回線変動をトラッキングし、前記ベースバンド信号の回線補償をして、前記復調部に出力する第２の回線補償手段と
を有する請求項２乃至請求項９のいずれかに記載の無線通信装置。
【請求項１１】
前記第１の回線補償手段は、前記無線フレームまたは前記無線スロット期間中は、固定の回線変動補償値を用いて回線補償を行う請求項１０記載の無線通信装置。
【請求項１２】
前記インピーダンス制御手段は、前記インピーダンス可変手段を用いて、所定期間だけ前記インピーダンスを調整し、前記所定期間後は、前記インピーダンスを前記所定期間前の状態に戻す請求項２乃至請求項９のいずれかに記載の無線通信装置。
【請求項１３】
アンテナにより受信した信号を、ベースバンド信号に変換し、出力する無線部と、
前記アンテナと前記無線部との間のインピーダンスを調整するインピーダンス可変手段と、
前記ベースバンド信号からサブキャリア毎のベースバンド信号を抽出し、出力するサブキャリア信号抽出部と、
前記サブキャリア毎のベースバンド信号から予め既知のパイロット信号を抽出し、出力するパイロット信号抽出手段、
前記パイロット信号を用いてチャネル推定を行い、前記サブキャリア毎のベースバンド信号に回線補償を行う回線補償手段、
前記サブキャリア毎の回線補償手段の出力を用いてインピーダンス制御適性度を検出するインピーダンス制御適正度検出手段、
をそれぞれ有する複数のサブキャリア処理部と、
前記サブキャリア毎のインピーダンス制御適正度検出手段の出力を基に、前記インピーダンス可変手段のインピーダンス変化量を制御するインピーダンス制御手段と、
前記サブキャリア毎の回線補償手段の出力を用いて復調動作を行う復調部と、
を備えた無線通信装置。
【請求項１４】
アンテナにより受信した信号を、ベースバンド信号に変換し、出力する無線部と、
前記アンテナと前記無線部との間のインピーダンスを調整するインピーダンス可変手段と、
前記ベースバンド信号に逆拡散処理を行い、フィンガパス毎のベースバンド信号を抽出し、出力する逆拡散手段と、
前記フィンガパス毎のベースバンド信号から予め既知のパイロット信号を抽出し、出力するパイロット信号抽出手段、前記パイロット信号を用いてチャネル推定を行い、前記フィンガパス毎のベースバンド信号に回線補償を行う回線補償手段をそれぞれ有する、フィンガパスと同数のフィンガパス処理部と、
前記フィンガパス毎の回線補償手段の出力の加算処理を行う第１の合成部と、
前記第１の合成部の出力を用いてインピーダンス制御適性度を検出するインピーダンス制御適正度検出手段と、
前記インピーダンス制御適正度検出手段の出力を基に、前記インピーダンス可変手段のインピーダンス変化量を制御するインピーダンス制御手段と、
前記フィンガパス毎の回線補償手段の出力の加算処理を行う第２の合成部と、
前記第２の合成部の出力を用いて復調動作を行う復調部と
を備えた無線通信装置。
【請求項１５】
請求項１記載の受信系統部を複数備え、
前記回線補償手段の出力を重み付けて合成するアレー合成手段と、
前記アレー合成手段の出力を用いて復調動作を行う復調部と、
をさらに備えた無線通信装置。
【請求項１６】
前記アレー合成手段は、前記インピーダンス制御手段が、無線フレームまたは無線スロット期間中にインピーダンスを変化させる制御の有無により、アレー合成の方法を変化させる請求項１５記載の無線通信装置。
【請求項１７】
前記アレー合成手段は、前記インピーダンス制御手段が、
無線フレームまたは無線スロット期間中にインピーダンスを変化させる制御を行う場合は、最大比合成重みを用いてアレー合成を行い、
無線フレーム中にインピーダンスを変化させる制御を行わない場合は、ビーム及びヌルの制御を行うアレー合成手法による重みを用いてアレー合成を行う請求項１５記載の無線通信装置。
【請求項１８】
前記アレー合成手段は、
前記インピーダンス制御手段の出力を用いて、受信ウェイトを生成し、出力する受信ウェイト生成部と、
前記回線補償手段の出力を、前記受信ウェイトを用いて合成する受信ビーム形成部と、を有する請求項１５乃至請求項１７のいずれかに記載の無線通信装置。
【請求項１９】
受信電力を検出する受信電力検出手段と、
前記受信電力検出手段の出力を基に、インピーダンス制御を停止するモードにするか、インピーダンス制御を動作させるモードにするかを判定する動作モード判定部と、
を備え、
前記インピーダンス制御手段は、前記動作モード判定部の出力に応じて動作モードを切り替える請求項２記載の無線通信装置。
【請求項２０】
前記復調部の出力を基に受信品質を推定する受信品質推定部と、
前記受信品質推定部の出力を基に、インピーダンス制御を停止するモードにするか、インピーダンス制御を動作させるモードにするかを判定する動作モード判定部と、
を備え、
前記インピーダンス制御手段は、前記動作モード判定部の出力に応じて動作モードを切り替える請求項２記載の無線通信装置。
【請求項２１】
前記復調部の出力を基に伝送パラメータを抽出する伝送パラメータ抽出部と、
前記伝送パラメータ抽出部の出力を基に、インピーダンス制御を停止するモードにするか、インピーダンス制御を動作させるモードにするかを判定する動作モード判定部と、
を備え、
前記インピーダンス制御手段は、前記動作モード判定部の出力に応じて動作モードを切り替える請求項２記載の無線通信装置。
【請求項２２】
前記動作モード判定部は、前記伝送パラメータ抽出部の出力を基に、受信情報量が所定値よりも小さい場合は、インピーダンス制御を停止するモードとする請求項２１記載の無線通信装置。
【請求項２３】
前記復調部の出力を基に再送制御を行う再送制御部と、
前記再送制御部の出力を基に、インピーダンス制御を停止するモードにするか、インピーダンス制御を動作させるモードにするかを判定する動作モード判定部と、
を備え、
前記インピーダンス制御手段は、前記動作モード判定部の出力に応じて動作モードを切り替える請求項２記載の無線通信装置。